(57)【要約】【課題】支柱に棚やハンガーバーを自由に取付けることが可能で、それを横方向に自由に連続させることができる陳列台を提供する。【解決手段】外筒１１ａ  の中に内筒１１ｂ  を差し込んで摺動・固定可能にし、両端に逆方向の雌ネジ１２を設け、この雌ネジ１２に台座付き雄ネジ１３を螺合した支柱１１と、枠体１９の対辺の中央に半円形凹部２０を設け、上記片方の半円形凹部２０の両側にバカ孔２１を設け、他方の半円形凹部２０の両側に雌ネジ２２を一体に設けてなる棚受け用枠体１９と、上記棚受け用枠体１９に載せられ前後の縁に下向きのリブ２４を設けた棚板１８とからなり、上記支柱１１に、上記枠体１９の対辺の、バカ孔２１を設けた半円形凹部２０と雌ネジ２２を設けた半円形凹部２０とを宛がってボルトで締めつけ、横列された支柱１１での固定はバカ孔、または雌ネジを設けたサドル２３を宛がってボルト締めする。【選択図】  図１
2004305642.tif 000002
【特許請求の範囲】
【請求項１】
外筒の中に、その外筒の内径と同一または僅かに小さい外径の内筒を差し込んで摺動・固定可能にし、この内・外筒の両端に互いに逆方向の雌ネジを設け、この両雌ネジに台座付き雄ネジを螺合した支柱と、方形の枠体の対向する枠辺の中央に上記支柱を受け入れる半円形凹部を設け、上記片方の半円形凹部の両側にバカ孔を設け、他方の半円形凹部の両側に雌ネジを一体に設けてなる棚受け用枠体と、上記棚受け用枠体に載せられ前後の縁に下向きのリブを設けた棚板とからなる陳列台。
【請求項２】
上記支柱に、上記枠体のバカ孔を設けた半円形凹部と雌ネジを一体に設けたサドルの半円形凹部とを宛がって有頭雄ネジで締めつけ、上記枠体の雌ネジを一体に設けた半円形凹部とバカ孔を設けたサドルの半円形凹部を宛がって有頭雄ネジで締めつけてなる請求項１に記載の陳列台。
【請求項３】
上記枠体のバカ孔を設けた半円形凹部と、上記枠体の雌ネジを一体に設けた半円形凹部とを上記支柱の両側から宛がって有頭雄ネジで締めつけてなる請求項１に記載の陳列台。
【請求項４】
上記外筒の下端と台座付き雄ネジの台座との間に摺動・固定可能なスリーブを嵌めてなる請求項１乃至３のいずれかに記載の陳列台。
【請求項５】
上記外筒に内筒を完全に差し込んだ状態において、内筒の上端が外筒の上端から突き出るようにした請求項１乃至４のいずれかに記載の陳列台。
【請求項６】
パイプの片端に、半円形凹部の両側にバカ孔を設けた金具を固着し、他端に、半円形凹部の両側に雌ネジを一体に設けた金具を固着してハンガーバーとし、上記ハンガーバーのバカ孔を設けた金具の半円形凹部と両側に雌ネジを一体に設けたサドルとを、上記支柱の両側から宛がって有頭雄ネジで締めつけ、上記ハンガーバーの雌ネジを一体に設けた金具の半円形凹部と両側にバカ孔を設けたサドルとを、上記支柱の両側から宛がって有頭雄ネジで締めつけてなる陳列台。
【請求項７】
上記ハンガーバーのバカ孔を設けた金具の半円形凹部と上記ハンガーバーの雌ネジを一体に設けた金具の半円形凹部とを上記支柱の両側から宛がって有頭雄ネジで締めつけてなる請求項６に記載の陳列台。
【請求項８】
上記内・外筒の両端に設けた雌ネジの少なくとも一方を、内・外筒の両端から抜け出さないように摺動可能に装填し、該雌ネジの後方から筒端に向けてコイルスプリングにより付勢するように構成してなる請求項１乃至７のいずれかに記載の陳列台。
【発明の詳細な説明】
【０００１】
【発明の属する技術分野】
この発明は、支柱に棚やハンガーバーが支持され、それが自由に連設することができ、かつ、上下の間隔を自由に設定することができる陳列台に関する。
【０００２】
【従来の技術】
支柱に支持された陳列台に関する先行技術として特許文献１がある。
【０００３】
【特許文献１】
実公平７−４１４１２号公報（課題解決のための手段）
【０００４】
上記先行技術は「上下方向に立設された支柱に複数のカラーが外挿され、該カラーの一個あるいは複数個は水平方向に延びる吊り部材を備え且つ支柱の周囲に回動自在とされ、隣接する各カラーの端部に環状のスペーサーが嵌着され、スペーサー同士が摺動するようになされたハンガー装置において、少なくとも一方のスペーサーの環状摺動部の断面形状が、巾狭の凸形状に形成されてなるもの」であり、上記隣接するスペーサーの断面形状が、概ね凸形状の半円弧状に形成されてなるものである。
【０００５】
上記先行技術は、支柱に回動可能なハンガー装置を設けたもので、支柱に、棚やバーを支持し、それが自由に連続することができ、かつ、上下間隔を自由に設定できるものではない。
【０００６】
また、公開特許および公開実用新案（登録実用新案を含む）の最近数年間のＩＰＣの４７Ｆ５／０４に分類された情報を検索したところ、公開特許公報は１６件、公開実用新案公報は６件あったが、本願発明に係わる先行情報は発見されなかった。
【０００７】
【発明が解決しようとする課題】
上記状況のもとで本願発明は、床面と天井面との間で支柱を突っ張り状態で立設し、この支柱に棚やハンガーバーを自由に取付けることが可能で、それを横方向に自由に連続させることができる陳列台を提供することを課題とする。
【０００８】
【課題を解決するための手段】
上記課題を解決するために、外筒の中に、その外筒の内径と同一または僅かに小さい外径の内筒を差し込んで摺動・固定可能にし、この内・外筒の両端に互いに逆方向の雌ネジを設け、この両雌ネジに台座付き雄ネジを螺合した支柱と、方形の枠体の対向する枠辺の中央に上記支柱を受け入れる半円形凹部を設け、上記片方の半円形凹部の両側にバカ孔を設け、他方の半円形凹部の両側に雌ネジを一体に設けてなる棚受け用枠体と、上記棚受け用枠体に載せられ前後の縁に下向きのリブを設けた棚板とからなり（請求項１）、上記支柱に、上記枠体のバカ孔を設けた半円形凹部と雌ネジを一体に設けたサドルの半円形凹部とを宛がって有頭雄ネジで締めつけ、上記枠体の雌ネジを一体に設けた半円形凹部とバカ孔を設けたサドルの半円形凹部を宛がって有頭雄ネジで締めつけてなり（請求項２）、上記枠体のバカ孔を設けた半円形凹部と、上記枠体の雌ネジを一体に設けた半円形凹部とを上記支柱の両側から宛がって有頭雄ネジで締めつけてなり（請求項３）、上記外筒の下端と台座付き雄ネジの台座との間に摺動・固定可能なスリーブを嵌め（請求項４）てなり、上記外筒に内筒を完全に差し込んだ状態において、内筒の上端が外筒の上端から突き出るようにした（請求項５）ものである。
【０００９】
また、パイプの片端に、半円形凹部の両側にバカ孔を設けた金具を固着し、他端に、半円形凹部の両側に雌ネジを一体に設けた金具を固着してハンガーバーとし、上記ハンガーバーのバカ孔を設けた金具の半円形凹部と両側に雌ネジを一体に設けたサドルとを、上記支柱の両側から宛がって有頭雄ネジで締めつけ、上記ハンガーバーの雌ネジを一体に設けた金具の半円形凹部と両側にバカ孔を設けたサドルとを、上記支柱の両側から宛がって有頭雄ネジで締めつけ（請求項６）てなり、上記ハンガーバーのバカ孔を設けた金具の半円形凹部と上記ハンガーバーの雌ネジを一体に設けた金具の半円形凹部とを上記支柱の両側から宛がって有頭雄ネジで締めつけ（請求項７）てなり、上記内・外筒の両端に設けた雌ネジの少なくとも一方を、内・外筒の両端から抜け出さないように摺動可能に装填し、該雌ネジの後方から筒端に向けてコイルスプリングにより付勢するように（請求項８）構成してなる。
【００１０】
上記の如く構成するこの発明によれば、支柱を左右に回転するだけで床面と天井面との間で、突っ張り状態で立設・解体でき、枠体およびハンガーバーの両側に形成した半円形凹部に、バカ孔と雌ネジを設けることにより並列に立設した支柱に棚あるいはハンガーバーを連続して設けることができる。
【００１１】
また、外筒の下端に摺動・固定可能のスリーブを嵌めることにより蹴込み部分の目隠しとなり、外筒の頂部から内筒が突き出るようにすることにより手指を詰める恐れがなく安全で、内・外筒の両端から抜け出さないように摺動可能に雌ネジを装填し、該雌ネジの後方から筒端に向けてコイルスプリングにより付勢することにより、支柱を床面と天井面間に突っ張り状態で仮止めした上での位置調整が容易になり、支柱に棚やハンガーバーを取付けるようになっているので陳列状態が開放的で顧客の誘因効果があり、見通しがよく商品管理が行き届くようになる。
【００１２】
【発明の実施の形態】
次にこの発明の実施の形態を、図面を参照しながら説明する。支柱１１は、２８．６ｍｍφ（内径２５．６ｍｍφ）の外筒１１ａ  の中に、外径２５．４ｍｍφの内筒１１ｂ  を差込み、この内・外筒１１ｂ  ，１１ａ  の両端に互いに逆方向の雌ネジ（１０ｍｍ）１２を一体に設け、この雌ネジ１２に雄ネジ１３を螺合し、この雄ネジ１３の端にゴムパッド付き台座（６０ｍｍφ）１４を一体に設け、上記外筒１１ａ  の下端に摺動可能に、かつ、六角孔ビス（８ｍｍφ）１５により固定可能にスリーブ１６を被嵌し、外筒１１ａ  の上端には六角孔ビス（８ｍｍ）１５を有するカラー１７が被嵌されている。
【００１３】
棚板１８を支持する枠体１９は、３８９ｍｍ（タテ）×８９６ｍｍ（ヨコ）で、長辺側は２０ｍｍ×１０ｍｍの角パイプ材１９ａ  を８９０ｍｍに切断、短辺側は２０ｍｍ（幅）×３ｍｍ（厚さ）のフープ材１９ｂ  を、中央で半円形凹部２０を形成して３９８ｍｍに切断し、これらを溶接して片方の上記半円形凹部２０の両側にバカ孔２１、他方の上記半円形凹部２０の両側に６ｍｍφの雌ネジ２２が一体に設けられている。
【００１４】
上記枠体１９を支柱１１に取付けるために半円形凹部２０ｓ  の両翼にバカ孔２１ｓ  を設けたサドル２３ａ  と、半円形凹部２０ｓ  の両翼に雌ネジ２２ｓ  を一体に設けたサドル２３ｂ  が用意されており、枠体１９の、バカ孔２１をあけた短辺側には雌ネジ２２ｓ  を一体に設けたサドル２３ｂ  が対応し、雌ネジ２２を一体に設けた短辺側にはバカ孔２１ｓ  を設けたサドル２３ａ  が対応する。
【００１５】
上記枠体１９には、アクリル樹脂を材料とする４００ｍｍ（タテ）×８９９ｍｍ（ヨコ）５ｍｍ（厚さ）で長辺側の縁には２０ｍｍのリブ２４が設けられ、支柱１１が通る部分は半円形２５にえぐられた棚板１８が載せられている。
【００１６】
また、上記支柱１１に衣服をハンガーで吊るすためのハンガーバー２６が用意されている。このハンガーバー２６は、２２．２ｍｍφのパイプの片端に半円形凹部２０ｈ  の両翼にバカ孔２１ｈ  を設けた金具２７ａ  を溶接により一体に設け、他端に半円形凹部２０ｈ  の両翼に雌ネジ２２ｈ  を設けた金具２７ｂ  を溶接により一体に設けてあり、上記金具２７ａ  には雌ネジ２２ｓ  を一体に設けたサドル２３ｂ  が対応し、上記金具２７ｂ  にはバカ孔２１ｓ  を設けたサドル２３ａ  が対応して六角孔ボルト２８により支柱１１に取り付けられる。
【００１７】
上記枠体１９およびハンガーバー２６の半円形凹部２０，２０ｈ  の内面には支柱１１を確実に掴持するためにエンボス処理をしたゴム・プラスチック製のライナー２９が貼付けられている。なお、上記支柱１１には、片持ちのハンガーバーや片持ちの棚板を設けることができる。
【００１８】
次にこの陳列台１０の組み立てについて説明する。支柱１１の上・下端の台座１４を廻して十分内・外筒１１ｂ  ，１１ａ  の中に納め、外筒１１ａ  の上端のカラー１７の六角孔ビス１５を緩めて内筒１１ｂ  を延ばし床面と天井面とに接する状態にし、カラー１７の六角孔ビス１５を六角レンチで締めつけ内筒１１ｂ  を固定する。
【００１９】
この状態で支柱１１を回転すると、支柱１１全体がターンバックルの如き状態になって、支柱１１の上下の台座１４が迫り出して床面と天井面との間で突っ張り状態で固定される。
【００２０】
支柱１１への枠体１９の取付けは、支柱１１に罫書きを入れて枠体１９の半円形凹部２０を支柱１１に宛がい、サドル２３を宛がって六角孔ボルト２８を締めつける。このとき一気に締めつけることなく、仮に締めつけし、罫書き位置に枠体１９の位置を修正して完全に締めつける。
【００２１】
支柱１１が並列しているとき、端の部分はサドル２３と枠体１９の半円形凹部２０を支柱１１に宛がい六角孔ボルト２８で締めつけ、支柱１１が横に連続するときは、枠体１９およびハンガーバー２６の両端の半円形凹部２０にバカ孔２１と雌ネジ２２とが交互に設けられているので隣接する半円形凹部２０に六角孔ボルト２８を螺合締めつけ、終端はサドル２３で締めつける。
【００２２】
支柱１１に枠体１９が取付けられると棚板１８を載せる。棚板１８の長辺側の縁にはリブ２４が設けられ、支柱１１が通る部分は半円形に抉られてあるので、枠体１９に棚板１８を載せるだけで安定する。
【００２３】
ハンガーバー２６の取付けも、枠体１９の取付けと基本的に同じ手順で行うことができる。また、取付け金具２７の内面には、前述と同様滑り止めのゴム・プラスチック製のライナー２９が貼付けられている。
【００２４】
なお建築工事において、床面や天井面は完全な平面に仕上げることは難しく若干の凹凸があるため、これを考慮して図５に示すように、内筒１１ｂの上部に雌ネジ１２を摺動可能に装填し、該内筒１１ｂ端に抜け止め１１ｓを設け、該雌ネジ１２の後方にコイルスプリングＳを介してスプリング座Ｂを固着するならば、床面・天井面の凹凸に煩わされることなく容易に支柱１１をたてることができる。なお、上記機構を外筒１１ａの下端に設けてもよく、内・外筒の端に設けることもできる。
【００２５】
【発明の効果】
以上説明した通りこの発明によれば、支柱を左右に回転するだけで床面と天井面との間で、突っ張り状態で立設・解体でき、枠体およびハンガーバーの両側に形成した半円形凹部に、バカ孔と雌ネジを設けることにより並列に立設した支柱に棚あるいはハンガーバーを連続して設けることができ、また、外筒の下端に摺動・固定可能のスリーブを嵌めることにより蹴込み部分の目隠しとなり、外筒の頂部から内筒が突き出るようにすることにより手指を詰める恐れがなく安全で、台座を有する雄ネジが螺合する雌ネジを摺動可能にしたので、床面や天井面の凹凸があっても容易に支柱を立てることができ、支柱に棚やハンガーバーを取付けるようになっているので陳列状態が開放的で顧客の誘引効果があり、見通しがよく商品管理も行き届くようになった。
【図面の簡単な説明】
【図１】本発明に係る陳列台の分解斜視図
【図２】同組み立て斜視図
【図３】同主要部の一部切り欠き正面図
【図４】枠体および棚板の取り付け部断面図
【図５】支柱の上端の雌ネジを摺動可能とした部分断面図
【符号の説明】
１０  陳列台
１１  支柱
１１ａ  外筒
１１ｂ  内筒
１１ｓ  抜け止め
１２  雌ネジ（支柱の）
１３  雄ネジ（支柱の）
１４  台座
１５  六角孔ビス
１６  スリーブ
１７  カラー
１８  棚板
１９  枠体
２０  半円形凹部
２１  バカ孔
２２  雌ネジ
２３  サドル
２４  リブ
２５  半円形
２６  ハンガーバー
２７  金具
２８  六角孔ボルト
２９  ライナー
Ｂ  スプリング座
Ｓ  コイルスプリング
【図１】
2004305642.tif 000003
【図２】
2004305642.tif 000004
【図３】
2004305642.tif 000005
【図４】
2004305642.tif 000006
【図５】
2004305642.tif 000007